【手続補正書】
【提出日】平成17年3月31日(2005.3.31)
【手続補正１】
【補正対象書類名】特許請求の範囲
【補正対象項目名】全文
【補正方法】変更
【補正の内容】
【特許請求の範囲】
【請求項１】
テスト中の小形電子デバイスの伝導端部表面と転がり接触機のための支持構造との間に電気信号伝達を与えるための前記転がり接触機であって、
ａ）限定された厚さ寸法を有する導電性の円形ローラであって、１又はそれ以上の信号を伝達するために前記デバイスの伝導性の端部表面を横切って転動するための２つの間隔をおかれた側壁間の外部転がり面及び内部中心穴を有するローラと、
ｂ）前記ローラの外径より小さい外径の少なくとも１つの導電性を有するスプールであって、前記ローラの両側壁の一方に近接しかつこれと接するように配置され、貫通するように設けられた中心穴を有するスプールと、
ｃ）前記ローラ及び前記スプールに形成された中心穴を同心にかつこれらを超えて伸びる支持車軸と、
ｄ）前記ローラの表面が前記デバイスの端部表面に対して転がり及び押圧することを許すように前記車軸の周りの回転配列で前記車軸を支持するようにされた導電性の車軸ブラケットと、
ｅ）前記車軸ブラケットから、回転中の前記スプールと線接触するように伸びる導電性のブラシと、
ｆ）前記車軸ブラケット及び前記支持構造間を伸びる導電性の細長いスプリングアームであって、前記デバイスの端部表面と、前記転がり面と、前記導電性ブラシを介して前記車軸ブラケットと接触するスプールとの間の電気路を形成し、また前記端部表面に対して前記ローラを押圧するスプリング圧を及ぼすスプリングアームとを含む、転がり接触機。
【請求項２】
さらに、他のローラ側壁に近接してかつこれに接して配置された、前記ローラの外径より小さい外径を有する追加のスプールであってこれを貫通するように形成された中心穴を有するスプールと、該追加のスプールとその回転の間に線接触するように前記車軸ブラケットから伸びる追加の導電性のブラシとを含む、請求項１に記載の転がり接触機。
【請求項３】
前記デバイスの伝導性の端部表面は幅を有し、前記円形ローラは、該円形ローラが接触するように適合された前記デバイスの端部表面の幅より大きくない厚さを有する、請求項１に記載の転がり接触機。
【請求項４】
前記外部転がり面は前記一以上の円形スプールの外面と同心である、請求項１に記載の転がり接触機。
【請求項５】
前記ローラの２つの間隔をおかれた側壁は平坦でありかつ互いに平行である、請求項１に記載の転がり接触機。
【請求項６】
前記ローラの内部中心穴と前記一以上の円形スプールの内部中心穴とは、前記ローラの外部表面と前記一以上のスプールの外部表面とが同心配置におかれるように前記車軸上に整列されている、請求項１に記載の転がり接触機。
【請求項７】
各円形スプールは、前記ローラの表面から該ローラを通過する電気信号を取る前記導電性ブラシの滑動受け入れのための、前記円形ローラの外部転がり面に平行に形成された平坦な周面を含む、請求項１に記載の転がり接触機。
【請求項８】
さらに、各円形スプールの周囲に形成され、また前記ローラの表面から該ローラを通過する電気信号を取る前記導電性ブラシの滑動受け入れのための溝の面を含む、請求項１に記載の転がり接触機。
【請求項９】
前記円形スプールと前記ローラとは単一のユニットに形成されている、請求項１に記載の転がり接触機。
【請求項１０】
さらに、２つの前記導電性ブラシは間隔をおいて配置され、前記車軸ブラケットから並列配置で伸び、回転の間に線接触状態で各スプールに接する、請求項２に記載の転がり接触機。
【請求項１１】
前記スプリングアームは、間隔をおいて配置された第１の端部及び第２の端部を含み、前記転がり接触機は、さらに、前記デバイスにより転がるときに前記転がり接触機の撓みに応じて曲がるようにするため、前記支持構造から前記転がり接触機を弾性的に片持ち梁支持するための手段を含む、請求項１に記載の転がり接触機。
【請求項１２】
前記車軸ブラケットは前記スプリングアームの第１の端部により支持されており、また
ａ）前記スプリングアームの相対する側部から直交して突出する一対のフランジと、
ｂ）前記フランジに垂直に配置された前記車軸の両端部をそれぞれ支承するために前記フランジにより規定された一対の整列した溝とを含む、請求項１１に記載の転がり接触機。
【請求項１３】
素子の端部と転がり接触機との間の電気信号伝達を行うための前記転がり接触機であって、
ａ）並列に配置される複数の導電性円形ローラであって、各ローラは限定された厚さであり、１又はそれ以上の信号を伝達するために並列に配置された、テスト中のデバイスの伝導性の端部表面を横切って転がるように、２つの間隔をおかれた側壁間に形成された外部転がり面及び内部中心穴を有する複数のローラと、
ｂ）各ローラのための少なくとも１つの導電性の円形スプールであって前記ローラより小さい外径を有し、前記ローラの側壁の１つに近接してかつ接して配置され、貫通するように形成された中心穴を有する円形スプールと、
ｃ）前記ローラ及び前記スプールに形成された前記穴を経て軸線方向へ通るようにされ、前記穴を経て伸びる各ローラのための支持車軸と、
ｄ）導電性の車軸ブラケットであって前記ローラの表面が前記デバイスの端部表面を転がりかつ押圧することを許すように前記車軸の周りの回転配列にあるように各車軸を支持するようにされた車軸ブラケットと、
ｅ）前記スプールの回転の間に線接触で前記スプールに接するように各支持車軸ブラケットから伸びる導電性のブラシと、
ｆ）前記デバイスの端部表面と、前記ローラの表面と、前記導電性ブラシを介して前記車軸ブラケットと接触する前記スプールとの間の電気路を形成し、また前記端部表面に対して前記ローラを押し付けるためのスプリング圧を与えるための各車軸ブラケットと前記支持構造との間を伸びる導電性の細長いスプリングアームとを含む、転がり接触機。
【請求項１４】
さらに、各ローラのため、他のローラ側壁に近接してかつこれに接して配置された、前記ローラより小さい外径を有する追加のスプールであってこれを貫通するように形成された中心穴を有するスプールと、該追加のスプールとその回転の間に線接触するように前記車軸ブラケットから伸びる追加の導電性のブラシとを含む、請求項１３に記載の転がり接触機。
【請求項１５】
前記デバイスの伝導性の端部表面は幅を有し、前記円形ローラは、該円形ローラが接触するように適合された前記デバイスの端部表面の幅より大きくない厚さを有する、請求項１３に記載の転がり接触機。
【請求項１６】
前記外部転がり面は前記一以上のそれぞれの円形スプールの外面と同心である、請求項１３に記載の転がり接触機。
【請求項１７】
前記ローラの２つの間隔をおかれた側壁は平坦でありかつ互いに平行である、請求項１３に記載の転がり接触機。
【請求項１８】
前記ローラの内部中心穴と前記一以上のそれぞれの円形スプールの内部中心穴とは、前記ローラの外部表面と前記一以上のそれぞれのスプールの外部表面とが同心配置におかれるように前記車軸上に整列されている、請求項１３に記載の転がり接触機。
【請求項１９】
さらに、前記ローラの表面から該ローラを通過する電気信号を取る前記導電性ブラシの滑動受け入れのための、各円形スプールの周囲に形成された平坦な周面を含む、請求項１３に記載の転がり接触機。
【請求項２０】
さらに、各円形スプールの周囲に形成され、また前記ローラの表面から該ローラを通過する電気信号を取る前記導電性ブラシの滑動受け入れのための溝を含む、請求項１３に記載の転がり接触機。